(57)【要約】【課題】  加熱手段や非自吸式ポンプの設計制約を緩和し、エア抜きを短時間で簡単に行うことができ、使用者や施工業者にとって快適な暖房装置を提供することを目的とする。【解決手段】  非自吸式ポンプ３と床暖房パネル６と熱交換器７とシスターン２とを循環するように形成された暖房循環回路８を有する暖房装置において、前記暖房循環回路８の前記非自吸式ポンプ３の吐出部から前記熱交換器７及び前記床暖房パネル６を経由せずに前記シスターン２を経由して当該記非自吸式ポンプ３の吸入部に至るバイパス回路１０を設け、このバイパス回路１０に開閉弁９を設けたものである。【選択図】    図１
2005241127.tif 000002
【特許請求の範囲】
【請求項１】
非自吸式ポンプと放熱手段と加熱手段とシスターンとを循環するように形成された循環回路を有する暖房装置において、前記循環回路の前記非自吸式ポンプの吐出部から前記加熱手段及び前記放熱手段を経由せずに前記シスターンを経由して当該記非自吸式ポンプの吸入部に至るバイパス回路を設け、このバイパス回路に開閉手段を設けたことを特徴とする暖房装置。
【請求項２】
前記開閉手段を暖房運転の開始操作により開放させ、開始操作から所定時間経過後に閉じるよう制御する制御装置を備えたことを特徴とする請求項１に記載の暖房装置。
【発明の詳細な説明】
【技術分野】
【０００１】
本発明は、非自吸式ポンプを用いて水やブライン等を床暖房等の循環回路に循環させることによって暖房を行う暖房装置に関するものである。
【背景技術】
【０００２】
従来の暖房装置においては、放熱手段や加熱手段に対して水やブライン等を循環させる際、特に非自吸式ポンプ等の場合、その内部に滞留したエアを抜かないと循環能力が発揮できないため、圧力損失の大きな放熱手段を経由しないバイパス回路を設け、ポンプ内のエア抜きに必要な流量を得る手段がとられている（例えば、特許文献１参照）。
【０００３】
【特許文献１】特開平９−２９２１３０号公報（第３頁、図１）
【発明の開示】
【発明が解決しようとする課題】
【０００４】
しかしながら、上記のような従来の構成では、バイパス回路であっても、加熱手段を必ず経由する構成であるため、非自吸式ポンプ内のエア抜きを行うための流量確保のために、加熱手段の圧力損失を低めに設計しなければならない制約が発生（熱交換の効率向上と相反する）したり、この回避のため、非自吸式ポンプの揚程が高いものを選択する必要が生じたりすることになる。また、エア抜きが不十分な状態で加熱手段が加熱運転を行うと、循環する流体が加熱されることにより、非自吸式ポンプ内も加熱されるため、滞留するエアが膨張し、エア噛みを生じたり、流体の温度上昇による溶解度の低下で流体自身から溶存空気が溶け出してしまい、目的とする非自吸式ポンプ内のエア抜きがますます効果的に行えないという不具合があった。
【０００５】
これは、加熱手段を稼動させる前に非自吸式ポンプによるエア抜き時間を十分にとれば良いように思うが、前述の加熱手段の圧力損失が大きいと最大循環流量が加熱手段を経由しない場合に比べて低くなり、それだけ所望時間がながくなるので、暖房等の立上り時間や試運転の際のエア抜き時間が余分に必要になり、使用者にとってはなかなか温まらないといったような不快感、施工業者によってはエア抜きがなかなかできず、工事に時間がかかりわずらわしいといった不快感を与えることになるという不具合もある。
【０００６】
本発明は、上記のような課題を解決するためになされたもので、加熱手段や非自吸式ポンプの設計制約を緩和し、エア抜きを短時間で簡単に行うことができ、使用者や施工業者にとって快適な暖房装置を提供することを目的とする。
【課題を解決するための手段】
【０００７】
本発明に係る暖房装置は、非自吸式ポンプと放熱手段と加熱手段とシスターンとを循環するように形成された暖房循環回路を有する暖房装置において、前記暖房循環回路の前記非自吸式ポンプの吐出部から前記加熱手段及び前記放熱手段を経由せずに前記シスターンを経由して当該記非自吸式ポンプの吸入部に至るバイパス回路を設け、このバイパス回路に開閉手段を設けたものである。
【発明の効果】
【０００８】
本発明による暖房装置は、暖房循環回路内の放熱手段や加熱手段を経由していないため、非自吸式ポンプ内に滞留するエアを抜くために必要最小限の回路となっており、加熱手段の圧力損失の影響や加熱状態等について一切関係がないエア抜き運転が可能であり、加熱手段や非自吸式ポンプの設計制約を緩和して使用者や施工業者にとって快適な暖房装置を提供することが可能となる。
【発明を実施するための最良の形態】
【０００９】
実施の形態１．
図１は本発明の実施の形態１に係る暖房装置の構成図である。
図１において、まず、暖房循環回路８の構成から説明する。
暖房機１の内部にはブライン１４を保持するシスターン２が設けられ、このシスターン２の下部にはシスターン２からのブライン１４の供給を受けて下流に送水する非自吸式ポンプ３が設けられ、ヘッダー４を介して複数に分岐された回路へブライン１４を送水するように構成されている。一方、前記非自吸式ポンプ３の下流と前記シスターン２とを直接結ぶ回路として、バイパス回路１０が設けられており、その途中には開閉手段としての開閉弁９が設けられている。また、ヘッダー４から、複数の熱動弁５、暖房する部屋に設置された放熱手段としての複数の床暖パネル６を経由し、加熱手段としての熱交換器７に至り、前述のシスターン２に戻るように構成されている。暖房循環回路８には、シスターン２、非自吸式ポンプ３、ヘッダー４、熱動弁５、床暖房パネル６、熱交換器７が接続されている。なお、暖房循環回路８の床暖パネル６からの戻り後の各々の回路には温度センサー２１が設置され、戻りのブライン１４の温度を検出する。
【００１０】
次に、暖房熱源回路１３の構成について説明する。
暖房熱源回路１３には、別途の外部給湯機１１から供給される湯（熱源となる）を暖房熱源回路１３内に循環させるための暖房熱源ポンプ１２、および前述の暖房循環回路８と熱交換をする熱交換器７を経由し、外部給湯機１１へと戻る回路を有する。
なお、暖房機１には、制御装置２０が内蔵されており、前述の非自吸式ポンプ３、熱動弁５、暖房熱源ポンプ１２の動作を各々制御し、温度センサー２１および暖房する部屋に据え付けられ、当該暖房機１の操作を行うリモコン２２に内蔵された室温センサー２３の情報が各々入力される。
【００１１】
次に、本実施の形態１における暖房装置の動作について説明する。
まず、使用者はリモコン２２に、所望の室温を入力し、暖房開始の操作を行うと、暖房機１の制御装置２０は、熱動弁５を閉じたままとし、バイパス回路１０の開閉弁９を開いて、シスターン２、非自吸式ポンプ３、開閉弁９で構成されるバイパス回路１０を形成する。ここで、制御装置２０は、非自吸式ポンプ３を動作させることにより、非自吸式ポンプ３内およびバイパス回路１０内にブライン１４を所定時間だけ循環させ、非自吸式ポンプ３内およびバイパス回路１０内に滞留するエアを押し流し、シスターン２から外部へ排出する。ここで形成されるバイパス回路１０は、非自吸式ポンプ３内に滞留するエアを抜くために必要最小限の回路となっており、先の暖房循環回路８内の床暖パネル６や熱交換器７を経由していないため、熱交換器７の圧力損失の影響や加熱状態等について一切関係がないエア抜き運転が可能である。
【００１２】
次に、制御装置２０は、暖房開始の操作から所定時間が経過すると、暖房を指示された部屋に相当する床暖パネル６へつながる暖房循環回路８を形成するための熱動弁５を選択して開放し、開閉弁９を閉じる。これにより、非自吸式ポンプ３内にエアが残らず、適正な揚程を発揮できる状態で、暖房循環回路８が開かれ、またバイパス回路１０は開閉弁９の閉止により不要な循環がなくなり、非自吸式ポンプ３の揚程の損失とならず、床暖パネル６やその後の暖房循環回路８内にエアが滞留している場合であっても、順次シスターン２まで戻り、排出されることになる。
【００１３】
続いて、制御装置２０は、暖房熱源回路１３側の暖房熱源ポンプ１２を動作させ、外部給湯機１１からの湯を熱交換器７に供給する循環運転を行う。これにより、暖房循環回路８側のブライン１４は熱交換器７により加熱されることになる。
加熱されたブライン１４の熱が床暖パネル６を経由して暖房したい部屋を暖めてゆき、リモコン２２に内蔵の室温センサー２３により室温が所望温度まで上昇したことを検出すると、制御装置２０は暖房熱源ポンプ１２を停止して熱交換器７による暖房循環回路８内のブライン１４の加熱を停止する。また、リモコン２２に内蔵の室温センサー２３により室温が所望温度より低下したことを検出すると、制御装置２０が暖房熱源ポンプ１２を動作させて熱交換器７を経由しブライン１４を加熱して、前述のように暖房を行う。その後、使用者がリモコン２２により暖房運転を停止するまでは、この動作を継続する。
【００１４】
なお、温度センサー２１は、床暖パネル６からの戻りの温度を検出し、その検出温度が一定温度以上（６０℃程度）になった場合、制御装置２０により熱動弁５を閉じて温度制御を行い、必要以上に床温が上昇することを抑制する。
【００１５】
このように、本実施の形態１の構成によれば、バイパス回路１０は暖房循環回路８内の床暖パネル６や熱交換器７を経由していないため、非自吸式ポンプ３内に滞留するエアを抜くために必要最小限の回路となっており、熱交換器７の圧力損失の影響や熱交換器７の加熱状態等について一切関係がないエア抜き運転が可能となり、熱交換器７や非自吸式ポンプ３の設計制約を緩和し、使用者や施工業者にとって快適な暖房装置を提供することが可能となる。
【図面の簡単な説明】
【００１６】
【図１】本発明の実施の形態１を示す暖房装置の構成図である。
【符号の説明】
【００１７】
１    暖房機
２    シスターン
３    非自吸式ポンプ
４    ヘッダー
５    熱動弁
６    床暖パネル（放熱手段）
７    熱交換器（加熱手段）
８    暖房循環回路
９    開閉弁（開閉手段）
１０    バイパス回路
１１    外部給湯機
１２    暖房熱源ポンプ
１３    暖房熱源回路
１４    ブライン
２０    制御装置
２１    温度センサー
２２    リモコン
２３    室温センサー
【図１】
2005241127.tif 000003